(57)【特許請求の範囲】
【請求項１】
複数の段を含む複数のノードを有する光通信システム内で偏波ホールバーニングの影響を軽減するシステムであって、
１又は複数のトラフィック・チャネルを有する光入力信号と、
前記光入力信号に含まれる所望の波長が存在するか否かを示す第１の情報と前記所望の波長が実際に存在するか否かを示す第２の情報とに基づき、該トラフィック・チャネルの周りのゴースト・チャネルの存在を調べるよう構成された測定モジュールと、
前記光入力信号の少なくとも１つの増幅された自然放出雑音から、前記トラフィック・チャネルの周りのゴースト・チャネルを生成し、前記複数の段の各々により現在発信されているゴースト・チャネルの数に基づき、前記複数の段の間でゴースト・チャネル負荷を平衡させるよう構成されたゴースト・チャネル生成モジュールと、
を有するシステム。
【請求項２】
前記測定モジュールは、前記光通信システム内の波長選択スイッチの一部である、
ことを特徴とする請求項１に記載のシステム。
【請求項３】
前記ゴースト・チャネル生成モジュールは、前記光通信システム内の波長選択スイッチの一部である、
ことを特徴とする請求項１に記載のシステム。
【請求項４】
前記ゴースト・チャネル及び前記トラフィック・チャネルのうちの１つの少なくとも１つの信号強度を測定するよう構成された電力モニタと、
前記ゴースト・チャネルの信号強度と前記トラフィック・チャネルの信号強度を比較するよう構成された比較器と、
前記ゴースト・チャネルの信号強度が前記トラフィック・チャネルの信号強度に実質的に等しくない場合、前記ゴースト・チャネルの信号強度を増幅するよう構成された増幅モジュールと、
を更に有する請求項１に記載のシステム。
【請求項５】
前記電力モニタは、前記光通信システム内の波長選択スイッチの一部である、
ことを特徴とする請求項４に記載のシステム。
【請求項６】
前記比較器は、前記光通信システム内の波長選択スイッチの一部である、
ことを特徴とする請求項４に記載のシステム。
【請求項７】
前記増幅モジュールは、前記光通信システム内の波長選択スイッチの一部である、
ことを特徴とする請求項４に記載のシステム。
【請求項８】
前記増幅モジュールは、前記ゴースト・チャネルの信号強度が前記光入力信号の信号強度を超えないように、前記ゴースト・チャネルの信号強度の増幅を制限するよう構成される、
ことを特徴とする請求項４に記載のシステム。
【請求項９】
複数の段を含む複数のノードを有する光通信システム内で偏波ホールバーニングの影響を軽減する方法であって、
前記光通信システムの第１のノードで、１又は複数のトラフィック・チャネルを有する光入力信号を受信する工程と、
前記光入力信号に含まれる所望の波長が存在するか否かを示す第１の情報と前記所望の波長が実際に存在するか否かを示す第２の情報とに基づき、該トラフィック・チャネルの周りのゴースト・チャネルの存在を調べる工程と、
前記光入力信号の少なくとも１つの増幅された自然放出雑音から、前記トラフィック・チャネルの周りのゴースト・チャネルを生成する工程であって、前記複数の段の各々により現在発信されているゴースト・チャネルの数に基づき、前記複数の段の間でゴースト・チャネル負荷を平衡させる、工程と、
前記光通信システムの第２のノードへ前記トラフィック・チャネル及び前記ゴースト・チャネルを転送する工程と、
を有する方法。
【請求項１０】
前記トラフィック・チャネルの少なくとも１つの信号強度を測定する工程と、
前記ゴースト・チャネルの少なくとも１つの信号強度を測定する工程と、
前記ゴースト・チャネルの信号強度が前記トラフィック・チャネルの信号強度に実質的に等しいかどうかを決定する工程と、
前記ゴースト・チャネルの信号強度が前記トラフィック・チャネルの信号強度に実質的に等しくない場合、前記ゴースト・チャネルの信号強度を増幅する工程と、
を更に有する請求項９に記載の方法。
【発明の詳細な説明】
【技術分野】
【０００１】
本発明は、概して光通信ネットワークの分野に関し、より詳細には偏波ホールバーニングの影響の軽減に関する。
【０００２】
本発明は、更に、偏波ホールバーニングの影響の軽減のためのゴースト・チャネルの選択の管理に関する。
【０００３】
本発明は、更に、偏波ホールバーニングの影響の軽減のためのゴースト・チャネルの選択に関する。
【０００４】
本発明は、更に、偏波ホールバーニングの影響の軽減のためのゴースト・チャネルの選択の最適化に関する。
【背景技術】
【０００５】
通信ネットワークは、該ネットワークを通じてパケットをルーティングするノードの経路を有する。光増幅器は、光ネットワークの運用可能な距離を増大するために光信号を増幅することにより、これらのネットワーク内で重要な機能を果たす。幾つかの構成では、光通信ネットワークの効率は、偏波ホールバーニングとして知られる影響により危うくなる。
【０００６】
長距離に渡り動作するよう設計された光通信システムは、システムの動作効率を低減させる複数の偏光に依存する影響に苦しみうる。偏波ホールバーニング（ＰＨＢ）は、これらの現象のうちの１つである。ＰＨＢは、通信システム内で信号強度を増幅するために用いられるエルビウム・ドープ・ファイバ増幅器（ＥＤＦＡ）のような希土類ドープ光ファイバ増幅器の性能を著しく低下させうる。
【０００７】
ＰＨＢは、強く偏光された光信号がＥＤＦＡに入射されるときに生じる。この強い信号は、増幅器の異方性飽和を引き起こしうる。この飽和の影響は、ＥＤＦＡの母集団反転動作に関連し、飽和信号と同一の偏波状態（ＳＯＰ）を有する光に対するＥＤＦＡの利得を低下させる。従って、ＰＨＢは、飽和信号と直交するＳＯＰを有する信号が、飽和信号の利得より大きい利得を有するようにさせる。
【０００８】
結果として、飽和信号と直交するＳＯＰ内の増幅された自然放出（ＡＳＥ）雑音は、飽和信号のＳＯＰ内よりも速く累積されうる。飽和で又は飽和近くで動作する一連のＥＤＦＡを利用する通信システムでは、ＡＳＥ雑音は、各増幅器段で累積しうる。雑音はシステムの進路に渡り蓄積されるので、飽和信号と直交するＳＯＰを有する信号の信号対雑音比（ＡＮＲ）は、許容できないレベルまで上昇しうる。従って、このような場合のＳＮＲは、受信したデータ・ストリーム内に誤りを引き起こしうる。従って、増幅された光システム内のＰＨＢの影響を軽減することが望ましい。
【０００９】
望ましくないＰＨＢの影響の一因は、利得圧縮をもたらす方法でＥＤＦＡを動作させることである。利得圧縮（「Ｃｐ」）は、増幅器の非飽和利得（「Ｇｏ」又は低電力信号で動作するときの利得）と、増幅器の飽和動作利得（「Ｇ」）との差の指標である。動作利得は、次のように飽和出力電力（「Ｓｏ」）と飽和信号の入力電力（「Ｓｉ」）との間の差を取ることにより、デシベルで測定できる。
Ｇ＝Ｓｏ−Ｓｉ
対応する利得圧縮は、非飽和利得と飽和動作利得との間の差として計算されうる。
Ｃｐ＝Ｇｏ−Ｇ
飽和信号と直交するＳＯＰの利得は、飽和信号と直交する入力信号を有するプローブ信号を用いて、該プローブ信号の入力電力（「Ｐｉ」）及び出力電力（「Ｐｏ」）を測定することにより、測定されうる。
Ｐｏ−Ｐｉ＝Ｇ＋ΔＧ
上式中の「ΔＧ」は、飽和信号と直交するＳＯＰのＰＨＢの量を表す。これは、増幅器を飽和信号で動作させた結果である。増幅器の利得圧縮が増すにつれ、ＰＨＢの量及び影響も増大する。例えば、約３ｄＢの利得圧縮で動作する単一のＥＤＦＡは、約０．０８ｄＢのＰＨＢを生成しうる。しかしながら、該ＥＤＦＡが更なる飽和状態で動作するとき、Ｃｐ＝９−１０ｄＢで、ＰＨＢは約０．２ｄＢまで上昇しうる。
【００１０】
ＰＨＢの程度は、飽和信号の偏波の程度のような他の要因によっても影響されうる。信号のＳＯＰが時間を経て変化する場合、ＰＨＢの影響は低減されうる。
【００１１】
単一のＥＤＦＡに対するＰＨＢの影響は小さいが、これらの影響は、一連のＥＤＦＡを一緒に連ねる通信システム内で深刻に合成されうる。多数の装置が、光通信システム内のＰＨＢの影響を低減するために提案されてきた。しかしながら、このような装置は、任意のチャネル負荷、費用と実装の困難、及び希土類ドープ・ファイバ増幅器の固有の安定性特性に対応できないというような欠点に苦しみ続けている。
【発明の概要】
【発明が解決しようとする課題】
【００１２】
本発明によると、光増幅器内の偏波ホールバーニングの影響を軽減する従来技術に関連する不利点及び問題が低減又は除去されうる。
【課題を解決するための手段】
【００１３】
本発明の一実施形態によると、光通信システム内の偏波ホールバーニングの影響を軽減するシステムが提供される。  当該システムは、１又は複数のトラフィック・チャネルを有する光入力信号と、該トラフィック・チャネルの周りのゴースト・チャネルの存在を調べるよう構成された測定モジュールと、前記光入力信号の少なくとも１つの増幅された自然放出雑音から、前記トラフィック・チャネルの周りのゴースト・チャネルを生成するよう構成されたゴースト・チャネル生成モジュ―ルと、を有する。
【００１４】
本発明の一実施形態によると、光通信システム内のゴースト・チャネルの選択を管理するシステムが提供される。当該システムは、前記光通信システム内のノードの第１の段の光通信チャネルの有効性を示す１又は複数の第１のデータ値を集めるよう構成された構成要素と、前記光通信チャネルの光パワー・レベルを示す１又は複数の第２のデータ値を集めるよう構成された構成要素と、前記ノードの第２の段へ前記第１及び第２のデータ値を送信するよう構成された構成要素と、前記第１の段で、前記第１及び第２のデータ値を受信するよう構成された構成要素と、前記第１の段で、前記第１の段及び前記第２の段の前記第１及び第２のデータ値を統合するよう構成された構成要素と、を有する。
【００１５】
本発明の別の実施形態によると、光通信システム内のゴースト・チャネルの選択を管理する方法が提供される。当該方法は、前記光通信システム内のノードの第１の段の光通信チャネルの有効性を示す１又は複数の第１のデータ値を集める工程と、前記光通信チャネルの光パワー・レベルを示す１又は複数の第２のデータ値を集める工程と、前記ノードの第２の段へ前記第１及び第２のデータ値を送信する工程と、前記第１の段で、前記第１及び第２のデータ値を受信する工程と、前記第１の段で、前記第１の段及び前記第２の段の前記第１及び第２のデータ値を統合する工程と、を有する。
【００１６】
本発明の一実施形態によると、光通信システム内のゴースト・チャネルを選択するシステムが提供される。当該システムは、前記光通信システムのノード内の光通信チャネルを検査するよう構成された構成要素と、前記光通信システムの隣接チャネルを検査するよう構成された構成要素と、前記隣接チャネルをゴースト・チャネルとして使用することが、前記光通信システム内で不要なレベルの帰還の危険性を生じるか否かを決定するよう構成された構成要素と、前記隣接チャネルをゴースト・チャネルとして使用することが、前記光通信システム内で不要なレベルの帰還の危険性を生じない場合、前記隣接チャネルがゴースト・チャネルとして現在使用されているか否かを決定するよう構成された構成要素と、前記隣接チャネルがゴースト・チャネルとして現在使用されていない場合、前記隣接チャネルをゴースト・チャネルとして選択するよう構成された構成要素と、を有する。
【００１７】
本発明の別の実施形態によると、光通信システムのノード内の偏波ホールバーニングの影響を軽減するためにゴースト・チャネルを選択する方法が提供される。当該方法は、前記光通信システムのノード内の光通信チャネルを検査する工程と、前記光通信システムの隣接チャネルを検査する工程と、前記隣接チャネルをゴースト・チャネルとして使用することが、前記光通信システム内で不要なレベルの帰還の危険性を生じるか否かを決定する工程と、前記隣接チャネルをゴースト・チャネルとして使用することが、前記光通信システム内で不要なレベルの帰還の危険性を生じない場合、前記隣接チャネルがゴースト・チャネルとして現在使用されているか否かを決定する工程と、前記隣接チャネルがゴースト・チャネルとして現在使用されていない場合、前記隣接チャネルをゴースト・チャネルとして選択する工程と、を有する。
【００１８】
本発明の一実施形態によると、光通信システムのノード内の偏波ホールバーニングの影響を軽減するためにゴースト・チャネルの選択を最適化するシステムが提供される。当該システムは、制御部を有し、前記制御部は、ゴースト・チャネルとしての使用のために前記ノード内の光通信チャネルを特定し、前記ノード内の前記光通信チャネルを伝達する第１の段のセットを特定し、前記第１の段のセット内で、有効なチャネルである前記光通信チャネルを有する段を有する第２の段のセットを特定し、前記第１の段のセット内で、十分に強力な前記光通信チャネルを有する段を有する第３の段のセットを特定し、少なくとも前記第２の段のセット及び前記第３の段のセットに基づき、前記第１の段のセットから前記ゴースト・チャネルを発信するために第１の段を選択する、よう構成される、ことを特徴とする。
【００１９】
本発明の別の実施形態によると、光通信システムのノード内の偏波ホールバーニングの影響を軽減するためにゴースト・チャネルの選択を最適化する方法が提供される。当該方法は、ゴースト・チャネルとしての使用のために前記ノード内の光通信チャネルを特定する工程と、前記ノード内の前記光通信チャネルを伝達する第１の段のセットを特定する工程と、前記第１の段のセット内で、有効なチャネルである前記光通信チャネルを有する段を有する第２の段のセットを特定する工程と、前記第１の段のセット内で、十分に強力な前記光通信チャネルを有する段を有する第３の段のセットを特定する工程と、少なくとも前記第２の段のセット及び前記第３の段のセットに基づき、前記第１の段のセットから前記ゴースト・チャネルを発信するために第１の段を選択する工程と、を有する。
【発明の効果】
【００２０】
本発明の特定の実施形態は、１つ以上の技術的利点を提供しうる。一実施形態の技術的利点は、適切な隣接チャネルからのゴースト・チャネルの選択が、隣接ゴースト・チャネルを有する信号の信号対雑音比を向上させうることである。幾つかの実施形態では、許容可能な低いレベルの帰還の危険性を有する隣接チャネルの選択は、偏波ホールバーニングを軽減するための実装の価格を低下させうる。
【００２１】
一実施形態の技術的利点は、通信システムのノードの適切な段からのゴースト・チャネルの選択及び最適化が、隣接ゴースト・チャネルを有する信号の信号対雑音比を向上させうることである。幾つかの実施形態では、十分に有効な、新鮮な及び／又は強力な段のセットからの選択は、偏波ホールバーニングを軽減するための高品質な実装を提供しうる。
【００２２】
一実施形態の技術的利点は、通信システムの段の適切な段からのゴースト・チャネルの選択及び最適化が、隣接ゴースト・チャネルを有する信号の信号対雑音比を向上させうることである。幾つかの実施形態では、十分に有効な、新鮮な及び／又は強力な段のセットからの選択は、偏波ホールバーニングを軽減するための高品質な実装を提供しうる。
【００２３】
本発明の特定の実施例は、上述の技術的利点の何れも有さないか又はいくつか若しくは全てを有してよい。１つ以上の他の技術的利点は、本願明細書に含まれる図、説明、及び請求項から当業者に直ちに明らかであろう。
【図面の簡単な説明】
【００２４】
【図１】本開示の特定の実施形態による光通信ネットワーク・システムを図示する。
【図２】本開示の特定の実施形態による複数の段を有するノードを示す。
【図３】本開示の特定の実施形態による、片側をゴースト・チャネルにより囲まれたトラフィック・チャネルのグラフを示す。
【図４】本開示の特定の実施形態による、ゴースト・チャネルを生成する光増幅方式を示す。
【図５】本開示の特定の実施形態による、偏波ホールバーニングの影響を軽減する方法の一実施形態を説明するフローチャートである。
【図６】本開示の特定の実施形態による、ノードの段に入力するチャネルの有効性に関する情報を格納するテーブルを示す。
【図７】本開示の特定の実施形態による、特定の段のノードに入力するチャネルの有効性及び信号強度に関する情報を格納するテーブルを示す。
【図８】本開示の特定の実施形態による、ノードの他の段から受信された統合された情報を表す一連のテーブルを示す。
【図９】本開示の特定の実施形態による、ノードの段に対する現在のゴースト・チャネル負荷に関する情報を格納するテーブルを示す。
【図１０】本開示の特定の実施形態による、偏波ホールバーニングの影響を軽減するときの、ゴースト・チャネルの選択を管理する方法の一実施形態を説明するフローチャートである。
【図１１】本開示の特定の実施形態による、偏波ホールバーニングの影響を軽減するときに用いられる、ゴースト・チャネルを選択する方法の一実施形態を説明するフローチャートである。
【図１２】本開示の特定の実施形態による、偏波ホールバーニングの影響を軽減するために、適切なゴースト・チャネルを選択するノードの段を選択する方法の一実施形態を説明するフローチャートである。
【図１３】本開示の特定の実施形態による、偏波ホールバーニングの影響を軽減するために、ゴースト・チャネルの選択ルーチンを最適化する方法の一実施形態を説明するフローチャートである。
【発明を実施するための形態】
【００２５】
本発明並びにその特徴及び利点のより完全な理解のため、添付の図と共に以下の説明を参照する。
【００２６】
本発明の実施形態及びそれらの利点は、図１乃至１３を参照することにより最も理解される。図中の類似の参照番号は類似の部分を表す。
【００２７】
図１は、本開示の特定の実施形態による光通信ネットワーク・システムを示す。光ネットワーク・システム１０は、ネットワーク・ノード２２のような構成要素を有する。通常、ネットワーク・ノード２２は、該ネットワーク・ノードの動作を実行する構成要素の如何なる適切な構成を有してもよい。例として、ネットワーク・ノードは、ロジック、インタフェース、メモリ、他の構成要素又はこれらの如何なる適切な組み合わせを有してもよい。「ロジック」はハードウェア、ソフトウェア、他のロジック又はそれらの如何なる適切な組合せを表してもよい。特定のロジックは、装置の動作を管理してもよく、例えばプロセッサを有してもよい。「プロセッサ」は、命令を実行しデータを操作し動作を実行する如何なる適切な装置を表してもよい。
【００２８】
「インタフェース」は、ネットワーク・ノードへの入力を受信し、ネットワーク・ノードからの出力を送信し、入力又は出力又はその両方の適切な処理を実行し、又はそれらの如何なる組合せを行うようにされ、及び１又は複数のポート、変換ソフトウェア又はその両方を有するネットワーク・ノードのロジックを表してもよい。
【００２９】
「メモリ」は、情報を格納し読み出しを助けるようにされたロジックを表してもよく、ランダム・アクセス・メモリ（ＲＡＭ）、読み出し専用メモリ（ＲＯＭ）、磁気ドライブ、ディスク・ドライブ、コンパクト・ディスク（ＣＤ）ドライブ、デジタル・ビデオ・ディスク（ＤＶＤ）ドライブ、取り外し可能な記憶媒体、如何なる他の適切なデータ記憶媒体、又はそれらの如何なる組合せを含んでもよい。
【００３０】
ネットワーク・システム１０は、光信号のような信号を通じて情報を通信する。例として、光信号は、周波数が約１５５０ナノメータであり、データ・レートが毎秒１０、２０、４０、又は４０より高いギガビット毎秒であってもよい。
【００３１】
図示された実施形態によると、ネットワーク・システム１０は１又は複数のネットワークを有してもよい。ネットワークは、図１に示されたようなメッシュ・トポロジ又は線若しくはリング・トポロジのような如何なる他の適切なトポロジ内のファイバ２６により結合されたノード２２を有してもよい。
【００３２】
図２を参照して以下に詳細に説明されるように、ネットワーク・システム１０の構成要素は、光ファイバ２６により共に結合され、１又は複数の再構成可能な光アッド／ドロップ・マルチプレクサ（ＲＯＡＤＭ）、１又は複数の増幅器、及び１又は複数のスプリッタを有してもよい。ネットワーク・システム１０は、如何なる光通信ネットワーク又は如何なる他の適切なネットワーク又はネットワークの組合せの中で用いられてもよい。光ファイバ２６は、単一モード・ファイバ（ＳＭＦ）、拡張大有効面積ファイバ（Ｅ−ＬＥＡＦ）又はＴｒｕｅＷａｖｅ（登録商標）低スロープ（ＴＷ−ＲＳ）ファイバのような如何なる適切な種類のファイバを有する。
【００３３】
所与のトポロジで、各ノードは、関連する数の「段」を有する。ノード２２の段の数は、ノード２２に入射するリンクの数であるよう定められてもよい。図示された実施形態では、４個のノード２２を有するメッシュ・トポロジの一部が示される。各ノード２２は、４個の段を有する。つまり、３つのリンクがネットワーク・システム１０の他のノード２２に入射され、１つのリンクがネットワーク・システム１０の残りの部分に入射される。段の数は、特定のトポロジ及び実装の選択に依存して、如何なる数であってもよい。
【００３４】
幾つかの実施形態では、ネットワーク・システム１０は、各入力信号を特定の「チャネル」又は搬送波波長に割り当てるよう設計されてもよい。割り当てられたチャネル及び波長の数は、選択された実装に依存して変化してもよい。説明のための例として、ネットワーク・システム１０は、１５５０ｎｍの波長帯で８８個のチャネルを伝達し、チャネル分離は５０ＧＨｚ（〜１．４ｎｍ）であってもよい。つまり、ネットワーク・システム１０は、１５２８．７７ｎｍ（１９６．１ＴＨｚ）乃至１５６３．４５ｎｍ（１９１．７５ＴＨｚ）の間の搬送波波長で情報を通信する可能性がある。幾つかの実施形態では、ネットワーク・システム１０は、如何なるチャネルも同時に使用されない又は一部の若しくは全てのチャネルが同時に使用されるような設計の必要性に依存して、入力信号を種々の波長に動的に割り当てる幾つかの手段を有してもよい。
【００３５】
単一の光経路の複数のチャネルを介して情報を通信する処理は、光学的に、波長分割多重方式（ＷＤＭ）と称される。高密度波長分割多重方式（ＤＷＤＭ）は、ファイバに、通常４０より多い多くの（高密度の）数の波長を多重することを表す。ＷＤＭ、ＤＷＤＭ又は他の複数波長伝送技術は、光ファイバ当たりの総計帯域幅を増大させるために、光ネットワークで利用される。ＷＤＭ又はＤＷＤＭ無しでは、ネットワーク内の帯域幅はたった１つの波長のビット・レートに限られてしまうだろう。より広い帯域幅では、光ネットワークは、より大量の情報を伝送できる。再び図１を参照すると、ネットワーク・システム１０は、ＷＤＭ、ＤＷＤＭ又は特定の他の適切な複数チャネル多重化技術を用いて異なるチャネルを伝送し、及び多重化波長４０を増幅するよう動作可能である。
【００３６】
図２は、本開示の特定の実施形態による複数の段２００を有するノード２２を示す。図では、４つの段２００が示されるが、所与の構成内により多くの又は少ない段２００が存在してもよい。ノード２２の各段２００は、スプリッタ２０２、波長選択スイッチ（ＷＳＳ）２０４、光チャネル・モニタ（ＯＣＭ）２０８、及び１又は複数の増幅器２０６を有してもよい。動作中、ノード２２の段２００は、多重化波長４０をノード２２の他の段２００、別のノード２２、又はネットワーク・システム１０の特定の他の部分から受信する。ノード２２の段２００に入力する多重化波長４０を有するチャネルは、ノード２２の段２００を出る前に、アッド、ドロップ及び／又は増幅されてもよい。
【００３７】
増幅器２０６は、多重化波長４０を増幅するために用いられてもよい。増幅器２０６は、特定長のファイバ２６の前及び／又は後に置かれてもよい。増幅器２０６は、光信号を増幅する光中継器を有してもよい。この増幅は、光−電気又は電気−光変換を行わずに実行されてもよい。幾つかの実施形態では、増幅器２０６は、希土類元素をドープされた光ファイバを有してもよい。信号が光ファイバを通過するとき、光ファイバのドープされた部分の原子を励起するために外部エネルギが印加され、光信号の強度を増大させる。例として、増幅器２０６は、エルビウム・ドープ・ファイバ増幅器（ＥＤＦＡ）を有してもよい。しかしながら、如何なる他の適切な増幅器２０６が用いられてもよい。図示された実施形態では、ノード２２の各段２００は、増幅器カード２１２に複数の増幅器２０６を有する。また幾つかの実施形態では、図６−１０に関して以下に詳細に説明されるように、増幅器カード２１２は、多重化波長４０に関する情報を集めるよう構成されてもよい。図は各段２００が自身の増幅器カード２１２を有するように示しているが、ノード２２又は複数のノード２２の幾つか又は全ての段２００のために単一の増幅器カード２１２が存在してもよい。
【００３８】
多重化波長４０の光強度が特定点に達したとき、増幅器２０６は、自身の最大線形応答に達しうる。この点を過ぎると、増幅器２０６は、非線形に（「飽和している」と表される）動作しうる。これらのレベルで、多重化波長４０は、「飽和信号」として表されてもよい。増幅器２０６は、飽和信号を供給されるとき、偏波ホールバーニング（ＰＨＢ）のような多大な特定の悪影響を経験しうる。ＰＨＢは、飽和信号と同一のＳＯＰ内の増幅された自然放出雑音と、飽和信号と直交するＳＯＰ内の増幅された自然放出雑音との量に差を生じるよう動作しうる。この差は、信号対雑音比の全体的な減少をもたらす。更に、減少の大きさは、飽和信号の偏波状態及び経時変化に依存する。これは、後のノード２２における信号品質の低下及び経時変化する信号品質の低下の両方をもたらしうる。ＰＨＢの影響は、図３−１３を参照して以下に詳細に記載されるように、ネットワーク・システム１０内に存在する増幅された自然放出（ＡＳＥ）雑音から精製されたゴースト・チャネルの使用を通じて軽減されうる。増幅の後、必要ならば、次に多重化波長４０はスプリッタ２０２を通ってもよい。
【００３９】
スプリッタ２０２は、多重化波長４０の複数の複製をノード２２の他の構成要素に又はネットワーク・システム１０の他のノード２２に送る前に、多重化波長４０を（より大きい又は小さい大きさで）再生するよう構成される如何なる装置又は装置の構成要素を有してもよい。多重化波長４０のこのような複製の１つは、ＷＳＳ２０４に渡されてもよい。ＷＳＳ２０４は、ノード２２の他の段２００又はネットワーク・システム１０の他のノード２２から送信された入力多重化波長４０の構成チャネルを受信、結合、アッド、ドロップ及び／又は増幅するよう構成される如何なる装置又は装置の構成要素を有してもよい。幾つかの実施形態では、図３−５を参照して以下に詳細に記載されるように、ＷＳＳ２０４は、ゴースト・チャネルを生成し及び／又は前に生成されたゴースト・チャネルを増幅若しくは減衰するよう構成されてもよい。
【００４０】
ＯＣＭ２０８は、多重化波長４０を有する個々の光チャネルの光パワーに関する情報を提供するよう動作する如何なる構成要素又は構成要素のセットを有してもよい。幾つかの実施形態では、ＯＣＭ２０８は、富士通のＦｌａｓｈｗａｖｅ７５００ＲＯＡＤＭ及びＦｌａｓｈｗａｖｅ９５００ＲＯＡＤＭに見られるようなスイッチ・カード２１４の統合された部分であってもよい。他の実施形態では、ＯＣＭ２０８は、独立型構成要素であってもよい。或いは、ＯＣＭ２０８の機能は、ＷＳＳ２０４又はノード２２の如何なる他の適切に構成された構成要素により実行されてもよい。動作中、ＯＣＭ２０８は、ＰＨＢの影響を軽減するためのゴースト・チャネルの適切な生成、選択、管理及び最適化のために、少なくとも信号成分のチャネルの光パワーの情報をノード２２の他の構成要素に提供する目的で、該光パワーを測定してもよい。図６−１０を参照して以下に詳細に記載されるように、スイッチ・カード２１４又はスイッチ・カード２１４の構成要素は、スプリッタ２０２、ＷＳＳ２０４、ＯＣＭ２０８又は段２００の現在のゴースト・チャネル負荷に関する情報の保守のような如何なる他の必要な機能を提供するよう構成されてもよい。
【００４１】
図３は、本開示の特定の実施形態による、片側をゴースト・チャネル３０２により囲まれたトラフィック・チャネル３０４のグラフ３００を示す。図示された実施形態では、トラフィック・チャネル３０４及びゴースト・チャネル３０２は、特定の波長及び特定の振幅で示される。トラフィック・チャネル３０４及びゴースト・チャネル３０２のこれら及び他の特定の特性は、単に説明のためであり、如何様にも本開示の範囲を制限するものではない。
【００４２】
幾つかの実施形態では、ノード２２は、トラフィック・チャネル３０４を囲むゴースト・チャネル３０２を生成するよう構成された特定のモジュールを有する。これらのゴースト・チャネル３０２は、有害なＰＨＢの影響を低減するよう動作しうる。ゴースト・チャネル３０２は、通常、如何なる信号情報も伝送することのない、ネットワーク・システム１０の通信チャネルを通じた光エネルギの伝搬を表す。ゴースト・チャネル３０２は、増幅及び／又は伝搬を必要とする他のチャネルのように扱われてもよいが、信号情報を伝達しない。
【００４３】
図４を参照して以下に詳細に記載されるように、ゴースト・チャネル３０２は、トラフィック・チャネル３０４の又はその近くの光強度を有するよう増幅される。トラフィック・チャネル３０４は、所与の瞬間に自身の搬送波波長で情報を伝達する複数チャネル光信号内のチャネルである。ゴースト・チャネルの生成、選択、管理及び最適化は、図４−１３を参照して以下に詳細に記載される。
【００４４】
幾つかの実施形態では、トラフィック・チャネル３０４は、片側に１つのゴースト・チャネル３０２のみを有してもよい。幾つかの実施形態では、２、４又はネットワーク・システム１０の現在の容量より少ない如何なる数のゴースト・チャネルが存在してもよい。幾つかの構成では、より多い数のゴースト・チャネル３０２の使用により、ネットワーク・システム１０内の帰還ループの可能性を生じてもよい。所与の実装は、ゴースト・チャネル３０２（及び対応するＰＨＢの影響の減少）の要求と、帰還を回避する要求との平衡を保ってもよい。
【００４５】
所与のチャネルは、１又は複数の「隣接」チャネルを有してもよい。隣接チャネルは、通常、所与のチャネルの特定の波長距離内にあるチャネルとして定められる。例えば、ネットワーク１０が５０ＧＨｚ（〜０．４ｎｍ）のチャネル分離を実装する場合、１５４４．９２ｎｍ及び１５４５．７２ｎｍにおけるチャネルは、１５４５．３２ｎｍにおけるチャネルの隣接チャネルである。他の実施形態では、近隣チャネルは、システムの（信号干渉の怖れ、選択された搬送波波長の固有特性のような）設計基準に依存して、チャネル間隔帯域幅（例えば、説明のための例では５０ＧＨｚ）の２倍に等しい光帯域幅の範囲内であると定められてもよい。近隣チャネルは、信号チャネルを「囲む」とも言われる。
【００４６】
ＰＨＢの影響は、特定のトラフィック・チャネル３０４が他のトラフィック・チャネル３０４から隔離している状況で最も深刻になりうる。ネットワーク・システム１０が全能力で動作し、全てのチャネルが同時に情報を伝達している場合、各動作チャネルは、他の動作チャネルにより囲まれる。このような例では、囲んでいるチャネルは、如何なる所与のチャネルのＰＨＢの影響も軽減するよう機能する。しかしながら、ネットワーク・システム１０がこのような全能力で動作することは滅多にない。屡々、一定の割合の通信チャネルだけが、任意の時間に情報を伝達する。
【００４７】
幾つかの従来の解決策は、通信信号のＳＯＰをランダムに回転させ、ＰＨＢの影響が任意の特定の偏波状態で深刻にならないようにする。しかしながら、このような解決策は、実装するのに非常に高い費用がかかり、飽和信号のＳＯＰを回転するために選択された実装に依存して、ネットワーク・システム１０全体のチャネルの動的負荷を上手く処理できない（情報伝達チャネルの数と同一性とが時間と共に変化する状況）。このような状況では、ＰＨＢの影響は、通信チャネルをゴースト・チャネルで囲むことにより軽減されうる。
【００４８】
幾つかの実施形態では、トラフィック・チャネル３０４は、十分近くに別のトラフィック・チャネル３０４を有さない場合には、ゴースト・チャネルにより囲まれてもよい。この決定は、一式の所定のルールに従い行われてもよい。例えば、第１の光信号で、次に近い光信号が２０チャネルより離れている場合、該第１の光信号は、偏波ホールバーニングの影響を軽減するために付随するゴースト・チャネルを必要としてもよい。信号が隔離しているほど、ゴースト・チャネルの必要性は強い。以下は、所与のトラフィック・チャネル３０４（λｉにより表される）に対してゴースト・チャネルを生成することが望ましい状況の例である。
【００４９】
【数１】
0005866775.tif 000002
λｉ−１、λｉ＋１は、λｉに隣接するチャネルであり、Ｎはある範囲内で伝搬するチャネルの総数である。
【００５０】
【数２】
0005866775.tif 000003
λｉ−１、λｉ＋１は、λｉに隣接するチャネルであり、Ｎはある範囲内で伝搬するチャネルの総数である。
【００５１】
【数３】
0005866775.tif 000004
λｉ−１、λｉ＋１はλｉに隣接するチャネルであり、λｉ、λｉ＋２はλｉ＋１に隣接するチャネルであり、Ｎはある範囲内で伝搬するチャネルの総数である。
【００５２】
【数４】
0005866775.tif 000005
λｉ−１、λｉ＋１はλｉに隣接するチャネルであり、λｉ、λｉ＋２はλｉ＋１に隣接するチャネルであり、Ｎはある範囲内で伝搬するチャネルの総数である。
【００５３】
幾つかの実施形態では、ゴースト・チャネル３０２が生成されなくてもよいときを決定するルールが存在してもよい。例えば、トラフィック・チャネル３０４（λｉにより表される）が以下に記載されるルールに含まれる場合、トラフィック・チャネル３０４は、ゴースト・チャネル３０２の生成の正当な理由となるほど十分に隔離していないかも知れない。
【００５４】
【数５】
0005866775.tif 000006
．．．，λｉ−１，λｉ，λｉ＋１，．．．は隣接チャネルであり、ｎは隣接チャネルの数であり、Ｎはある範囲内で伝搬するチャネルの総数である。
【００５５】
図４は、本開示の特定の実施形態による、ゴースト・チャネル３０２を生成する光増幅方式４００を示す。図示された実施形態では、トラフィック・チャネル３０４及びゴースト・チャネル３０２は、特定の波長及び振幅で示される。トラフィック・チャネル３０４及びゴースト・チャネル３０２のこれら及び他の特定の特性は、単に説明のためであり、如何様にも本開示の範囲を制限するものではない。トラフィック・チャネル３０４が例えばノード２２の増幅器２０６により増幅されるとき、特定量の雑音が、自然放出として知られる現象を通じて導入される。トラフィック・チャネル３０４の増幅は、この雑音も増幅してしまい、結果として、特にトラフィック・チャネル３０４がその経路に沿って複数回増幅されうる長距離システムでは、増幅された自然放出（ＡＳＥ）、望ましくない且つ問題のある雑音源を生じる。ＡＳＥは、通常、許容可能な信号対雑音比を維持するために、ネットワーク・システム１０から吸収又は抽出される。
【００５６】
しかしながら、ＡＳＥの位置及び大きさを制御することは、ゴースト・チャネルを生成するための発信元を提供しうる。図４に戻ると、ネットワーク・システム１０の４つのノード２２が示され、ノード２２ａ、２２ｂ、２２ｃ及び２２ｄとしてラベルを付されている。これらのラベルは、議論の明確化を目的としており、如何様にも本開示の範囲を限定することを意図しない。トラフィック・チャネル３０４は、ノード２２ａでアッド（追加）されてもよい。損失図４０２ａに示されるように、ノード２２ａで、全ての入力チャネルにおけるＡＳＥはブロックされてもよい。電力スペクトル４０４ａは、トラフィック・チャネル３０４がノード２２ａからノード２２ｂへ送信されるとき、トラフィック・チャネル３０４のみが送信されることを示す。損失図４０２ａ及び電力スペクトル４０４ａは、説明の目的のためにのみ提供される。例として、幾つかの実施形態では、間隔の変化する複数のトラフィック・チャネル３０４が存在してもよい。
【００５７】
トラフィック・チャネル３０４がノード２２ｂで増幅されるとき、トラフィック・チャネル３０４に隣接するチャネルのＡＳＥは、吸収又は抽出されない。これらの隣接チャネルのＡＳＥは、トラフィック・チャネル３０４を囲む適切なゴースト・チャネル３０２を提供するために、特定点まで大きくなることを許されてもよい。損失図４０２ａは、隣接チャネルに適用されるブロック・レベルが実質的に低いレベルに低減されていることを示す。これは、隣接チャネルのＡＳＥが大きくなることを許容し、電力スペクトル４０４ｂに示されるようにゴースト・チャネルを生成する。
【００５８】
この段階で、ゴースト・チャネル３０２は、トラフィック・チャネル３０４と比較して低い光強度を有する。トラフィック・チャネル３０４及びゴースト・チャネル３０２は、第３のノード２２ｃを通過する。ゴースト・チャネル３０２は、より強い光強度に増幅されてもよい。損失図４０２ｃは、隣接チャネルに適用されるブロック・レベルが、損失図４０２ｂのブロック・レベルと同一の実質的に低いレベルに低減されていることを示す。これは、隣接チャネルのＡＳＥが大きくなり続けることを許容し、電力スペクトル４０４ｃに示されるようにゴースト・チャネル３０２に光パワーを獲得させる。
【００５９】
この増幅は、ゴースト・チャネル３０２の光強度がトラフィック・チャネル３０４の光強度又はその近くになるまで、第４のノード２２ｄを通じて続いてもよい。この段で、ゴ―スト・チャネル３０２は、トラフィック・チャネル３０４を超えることなく、偏波ホールバーニングの影響を軽減するのに最も効率的であってよい。損失図４０２ｄは、隣接チャネルに適用されるブロック・レベルが損失図４０２ｃと比べて上昇しているが、依然として損失図４０２ａよりも実質的に低いレベルであることを示す。これは、電力スペクトル図４０４ｄに示されるように、特定の光パワー・レベルで隣接チャネルのＡＳＥの上限を定めさせ、トラフィック・チャネル３０４に実質的に等しい光パワー・レベルでゴースト・チャネル３０２を伝搬させる。
【００６０】
この図は一連の４つのノード２２ａ−ｄに渡って行われる処理を示すが、特定の実装は、より多くの又は少ないノードを用いてゴースト・チャネル３０２を適切な光強度にしてもよい。
【００６１】
幾つかの実施形態では、ノード２２の段２００は、ゴースト・チャネル３０２を増幅してもよい。増幅の一部として、段２００は、ゴースト・チャネル３０２を増幅する必要があるか否か、又はゴースト・チャネル３０２が既に十分な大きさであるかどうかを決定してもよい。例えば、幾つかの実施形態では、図５−１３を参照して以下に詳細に記載されるように、ゴースト・チャネル３０２の増幅の上限を定めることが望ましい。他の実施形態では、増幅及び測定は、ネットワーク・システム１０のより多くの又は異なる構成要素により行われてもよい。
【００６２】
図５は、本開示の特定の実施形態による、偏波ホールバーニングの影響を軽減する方法５００の一実施形態を説明するフローチャートである。方法５００は、隣接するゴースト・チャネル３０２の存在について入来するトラフィック・チャネル３０４を調べる段階、必要な場合にはゴースト・チャネル３０２を生成する段階、必要な場合にはゴースト・チャネル３０２を増幅する段階、を有する。
【００６３】
一実施形態によると、望ましくは方法５００は段階５０２で開始する。本開示の教示は、種々の構成のノード２２及びネットワーク・システム１０に実施されてもよい。従って、方法５００の好適な開始点及び方法５００の有する段階５０２−５１２の順序は、実装の選択に依存してもよい。図１を参照して詳細に上述されたように、ノード２２は段２００の数に関連付けられてもよく、各段２００はネットワーク・システム１０の異なる部分から多重化波長４０を受信する。実装の選択に依存して、方法５００は、ノード２２の段２００のうちの幾つか又は全てで実行されてもよく、又は何れによっても実行されなくてもよい。更に、多重化波長４０は、多重化波長４０の構成チャネルに逆多重化されうる複数チャネル信号であってもよい。実装の選択に依存して、方法５００は、多重化波長４０のトラフィック・チャネル３０４のうちの幾つか又は全てに対して実行されてもよく、又は何れに対しても実行されなくてもよい。
【００６４】
段階５０２で、ノード２２の段２００は、多重化波長４０を受信する。多重化波長４０を受信した後、方法５００は、多重化波長４０を有する第１のチャネルを分析し始めてもよい。該チャネルを分析した後に、方法５００は、段階５０３に進んでもよい。段階５０３で、ノ―ド２２は、検討中のチャネルがトラフィック・チャネル３０４であるか否かを決定してもよい。幾つかの実施形態では、図６−１０を参照して以下に詳細に記載されるように、所与のチャネルがトラフィック・チャネル３０４であるか否かを決定する段階は、該チャネルのＷＣＳ及びＷＣＦビットを検査する段階を有してもよい。
【００６５】
チャネルがトラフィック・チャネル３０４でない場合、方法５００は段階５１２へ進む。段階５１２で、方法５００は、段階５０２に戻る前に、次のチャネルの検査に進んでもよい。検討中のチャネルがトラフィック・チャネル３０４である場合、方法５００は段階５０４へ進む。段階５０４で、ノード２２は、トラフィック・チャネル３０４の既存のゴースト・チャネル３０２が存在するか否かを決定してもよい。幾つかの実施形態では、図１−４を参照して以上に詳細に記載されたように、段階５０４は、ノード２２の波長選択スイッチ２０４をソフトウェア制御することにより、又は如何なる他の適切に構成された測定モジュールにより、実行されてもよい。他の実施形態では、段階５０４は、ハードウェア、ソフトウェア、又はノード２２を制御するオペレーティング・システムを含む、ゴースト・チャネル３０２の存在を決定するよう構成された如何なる他のソフトウェア・モジュールにより実行されてもよい。
【００６６】
如何なるゴースト・チャネル３０２も現在存在していない場合、方法５００は段階５０６へ進んでもよい。段階５０６で、ノード２２は、ゴースト・チャネル３０２を生成してもよい。幾つかの実施形態では、図１−４を参照して以上に詳細に記載されたように、段階５０６は、ノード２２の波長選択スイッチ２０４により、又は適切なチャネルのＡＳＥの遮断レベルを変更するよう構成された如何なる他のゴースト・チャネル生成モジュールにより、実行されてもよい。ゴースト・チャネル３０２を生成した後、方法５００は段階５０２８へ進んでもよい。段階５０４で方法５００が現存するゴースト・チャネル３０２があると決定した場合、方法５００は、段階５０８へ直接進んでもよい。
【００６７】
図１−４を参照して以上に詳細に記載されたように、段階５０８で、方法５００は、光チャネル・モニタ２０８により又は如何なる他の適切に構成されたパワー・モニタにより測定されたような、ゴースト・チャネル３０２のパワーを決定してもよい。次に、方法５００は、ゴースト・チャネル３０２のパワーを関連するトラフィック・チャネル３０４のパワーと比較してもよい。幾つかの実施形態では、図１−４を参照して以上に詳細に記載されたように、この比較は、ノード２２の波長選択スイッチ２０４により、又は如何なる他の適切に構成された比較器により、実行されてもよい。ゴースト・チャネル３０２が十分な大きさでない場合、方法５００は段階５１０に進んでもよい。図１−４を参照して以上に詳細に記載されたように、段階５１０で、ゴースト・チャネル３０２は増幅される。この増幅の後、方法５００は段階５１２へ進んでよい。
【００６８】
段階５０８で方法５００が現存するゴースト・チャネル３０２が既に十分な大きさであると決定した場合、方法５００は、段階５１２へ直接進んでもよい。段階５１２で、方法５００は、段階５０２に戻る前に、次のチャネルの検査に進んでもよい。
【００６９】
図５は方法５００に関して実行されるべき特定数の段階を開示しているが、方法５００は、図５に示されたよりも多い又は少ない段階で実行されてもよい。また、図５は方法５００の有する段階の特定の順序を開示しているが、方法５００の有する段階は、如何なる適切な順序で達成されてもよい。例えば、示された方法５００の実施形態では、ノード２２は、ゴースト・チャネル３０２の大きさがトラフィック・チャネル３０４と実質的に等しいか否かを決定してもよい。しかしながら、設計配慮がゴースト・チャネルの可能な過成長への関心を必要としない短距離システムでは、これらの段階は必要なくてもよい。更に、方法５００は、追加のゴースト・チャネル３０２が必要かどうかを決定するために、ゴースト・チャネル３０２がどれだけ近いかの決定に関する追加段階を有してもよい。
【００７０】
本発明の特定の実施形態は、１つ以上の技術的利点を提供しうる。一実施形態の技術的利点は、偏波ホールバーニングの影響を軽減するためにゴースト・チャネル３０２を用いることが、動的に負荷のかかる光通信ネットワーク・システム１０におけるＰＨＢの影響に対するより強靱な解決策を可能にすることである。別の利点は、本願明細書に開示された方法及びシステムが予め存在しているハードウェア及び／又はソフトウェアに実装されてもよいので、実装費用及び困難性が有意に低減されうることである。
【００７１】
光通信システム内の偏波ホールバーニングの影響を効率的に軽減することは、生成されるゴースト・チャネル３０２を効率的に管理、選択、及び／又は最適化するシステム及び／又は方法を必要としうる。再び図２を参照すると、ゴースト・チャネルの生成を効率的に管理するために、ノード２２の段２００を互いに通信させることが望ましい。ノード内通信は、異なる出力経路に渡る入来トラフィックの指示を含む多くの目的のために用いられてもよい。ノード内通信は、ノード２２の各段２００を通過する特定のチャネルの現在の状態を通信するために用いられてもよい。この情報は、偏波ホールバーニングの軽減のために用いられるゴースト・チャネル３０２の管理で重要でありうる。
【００７２】
幾つかの実施形態では、段２００は、ゴースト・チャネル３０２を追加するか、ノード２２の別の段２００からの既存のゴースト・チャネル３０２を通過（及び場合によっては増幅）させる必要があってもよい。ノード２２を横切るゴースト・チャネルの負荷を効率的に平衡させるために、現在の可能性のあるゴースト・チャネルの発信元を知ることが重要でありうる。しかしながら、ゴースト・チャネルの発信元を効率的に管理するために必要な情報は、ノード２２の各段２００で直ちに利用可能でないかもしれない。例えば、段１における所与のチャネルのスプリッタの入力パワーは、段４のＷＳＳ２０４では利用可能でないかもしれない。この情報がないと、段４は、該所与のチャネルからのゴースト・チャネルを発信するか否かを正しく決定できないかもしれない。これらの障害を克服するために、段２００は情報を共有してもよい。
【００７３】
幾つかの実施形態では、段２００は、該段２００に入力するチャネルに関する特定の情報を収集してもよい。この情報は、波長チャネル信号ビット（「ＷＣＳ」）、波長チャネル障害表示（「ＷＣＦ」）及びチャネル毎のスプリッタの入力パワーを有してもよい。ＷＣＳ及びＷＣＦビットは、段２００の増幅器カード２１２により集められてもよい。また、スプリッタの入力パワーは、段２００のＯＣＭ２０８により集められてもよい。しかしながら、これらの機能は、同一の構成要素、異なる構成要素、又は如何なる適切に構成されたチャネル情報モジュールにより実行されてもよい。
【００７４】
ＷＣＳビットは、特定の波長が存在する予定か否か、例えば情報がそのチャネルを通じて送信されているか否かを示すために用いられてもよい。幾つかの実施形態では、「１」は波長が存在する予定であることを示してもよく、「０」は波長が存在する予定でないことを示してもよい。ＷＣＦビットは、波長が実際に存在するか否かを示すために用いられてもよい。波長が存在する予定であるが、特定の障害が生じているかもしれない。幾つかの実施形態では、「１」は実際の光が存在することを示してもよく、「０」は如何なる光も存在しないことを示してもよい。これらの表示又は同様の他の表示は、共に機能して、ゴースト・チャネル発信の目的で特定のチャネルが「有効である」ことを示してもよい。図示された構成では、有効なチャネルは、情報を伝達する予定の且つ実際に情報を伝達しているチャネルである。しかしながら、他の構成は、異なる設計の決定に基づき、本開示の範囲から逸脱することなく異なる方法で有効なチャネルを定めてもよい。
【００７５】
幾つかの実施形態では、各段２００は、各入力チャネルのエントリを有する、所望のチャネル有効性情報のテーブルを組み立ててもよい。これらのテーブルは、図５−９を参照して以下に詳細に議論される。次に、各段２００は、共有する情報を最大化するために及び後の意思決定のために、これらのテーブルをノード２２の全ての他の段２００へ送信してもよい。
【００７６】
図６は、本開示の特定の実施形態による、ノード２２の段２００に入力するチャネルの有効性に関する情報を格納するテーブル６００を示す。テーブル６００は、複数のエントリ６０２を有してもよい。各エントリ６０２は、入力チャネルに対応する。エントリ６０２毎に、テーブル６００は１又は複数の値６０４を格納してもよい。幾つかの実施形態では、値６０４は、各入力チャネルのＷＣＳ及びＷＣＦ値である。ＷＣＳ及びＷＣＦ値は、図３を参照して以上に詳細に議論された。説明のための例として、チャネル１のエントリ６０２は、ＷＣＳの値「１」及びＷＣＦの値「０」を有してもよい。これは、チャネル１が使用可能の予定であるが、如何なる光も存在しないことを示してもよい。チャネル２のエントリ６０２は、ＷＣＳに使用可能の予定であることを示す「１」を有し、ＷＣＦに光が実際に存在していることを示す「１」を有してもよい。次に、テーブル６００のチャネル有効性情報は、入力チャネルの光強度を測定するよう構成された段２００の一部へ渡されてもよい。幾つかの実施形態では、テーブル６００内のデータの収集は、ノード２２の段２００内の増幅器カード２１２により実行される。次に、図７−９を参照して以下に詳細に記載されるように、増幅器カード２１２は、入力チャネルの光パワーに関する情報を収集するために、テーブル６００をスイッチ・カード２１４へ送信してもよい。しかしながら、他の実施形態では、テーブル６００は、段２００のスイッチ・カード２１４内で、又は適切なチャネル有効性情報を収集するよう構成されたノード２２の如何なるチャネル情報モジュールにより、収集されてもよい。
【００７７】
図７は、本開示の特定の実施形態による、ノード２２の特定の段２００に入力するチャネルの有効性及び信号強度に関する情報を格納するテーブル７００を示す。テーブル７００は、複数のエントリ７０２を有してもよい。各エントリ７０２は、入力チャネルに対応する。エントリ７０２毎に、テーブル７００は１又は複数の値７０４を格納してもよい。幾つかの実施形態では、値７０４は、各入力チャネルのＷＣＳ、ＷＣＦ、及びスプリッタの入力パワーである。ＷＣＳ及びＷＣＦ値は、図２及び６を参照して以上に詳細に議論された。段２００のＯＣＭ２０８は、各チャネルのスプリッタの入力パワーを測定し、テーブル７００に情報を記録してもよい。次に、テーブル７００は、ノード２２の全ての他の段２００へブロードキャストされてもよい。
【００７８】
幾つかの実施形態では、図６を参照して以上に詳細に記載されたように、段２００のスイッチ・カード２１４は、増幅器カード２１２（又は特定の他のチャネル情報モジュール）からチャネル有効性情報を（例えばテーブル６００の形式で）受信し、ＯＣＭ２０８からの入力チャネルの光パワーに関する情報を（例えばテーブル７００のスプリッタの入力パワーの形式で）追加する。しかしながら、他の実施形態では、これらの機能は、同一の構成要素により実行されてもよい。例えば、チャネル情報モジュール及びスイッチ・カード２１４は、ＷＣＳビット、ＷＣＦビットを決定するよう、及びテーブル６００と７００とを分離する必要がなく同時にスプリッタの入力パワーを測定するよう構成された統合構成要素であってもよい。
【００７９】
テーブル７００に示された情報がノード２２の他の段２００にブロードキャストされると、各段２００が他の段２００から受信したテーブル７００を統合することは、必要又は効率的でありうる。
【００８０】
図８は、本開示の特定の実施形態による、ノード２２の他の段２００のから受信された統合された情報を表す一連のテーブル８００を示す。幾つかの実施形態では、図６−７を参照して以上に詳細に記載されたように、ノード２２の段２００は、ノード２２の他の段２００から、特定のチャネルの有効性及び光パワーに関する情報を有するテーブルを受信してもよい。このようなデータを、テーブル８００に示されたように、該データが各チャネルで利用可能なように統合することが望ましい。また、どれだけ最近にデータが受信されているかを示す「鮮度」データを有することが望ましい。
【００８１】
各テーブル８００は、特定のチャネルの統合された情報を表してもよい。幾つかの実施形態では、各入力チャネルに対応するテーブル８００が存在する（単なる例として、示された実施形態は８８個のチャネルを有し、従って８８個のテーブル８００が存在する）。各テーブル８００は、複数のエントリ８０２を有してもよい。各エントリ８０２は、ノード２２の段２００に対応する。幾つかの構成は、１又は複数のテーブル８００を単一のテーブル８００に結合すること、又は単一のテーブル８００をより小さいテーブルに分割することが望ましいか又は効率的であってもよい。
【００８２】
エントリ８０２毎に、テーブル８００は１又は複数の値８０４を格納してもよい。幾つかの実施形態では、値８０４は、各段のＷＣＳビット、ＷＣＦビット、スプリッタの入力パワー、及び鮮度値である。ＷＣＳ、ＷＣＦ及びスプリッタの入力パワー値は、図６及び７を参照して以上に詳細に議論された。テーブル８００の「鮮度」値は、テーブル８００の残りの値８０４が最近に更新されているか否か（又は十分に「新鮮か」）を示すために用いられてもよい。幾つかの実施形態では、段２００のスイッチ・カード２１４は、テーブル８００に格納されたデータが所定の時間量、例えば５秒以内にリフレッシュされているか否かを決定してもよい。データが該期間内に受信されている場合、鮮度値８０４は、「１」でマーク付けされ、データが十分に新鮮であることを示す。データが該期間内に受信されていない場合、鮮度値８０４は、「０」でマーク付けされ、データが新鮮でないことを示す。
【００８３】
ノード２２の各段２００における入力チャネルの有効性及び鮮度に関する情報に加え、ゴースト・チャネルがある場合には、どんなゴースト・チャネルが既に段２００から発信されたかを知ることが望ましい。
【００８４】
図９は、本開示の特定の実施形態による、ノード２２の段２００に対する現在のゴースト・チャネル負荷に関する情報を格納するテーブル９００を示す。テーブル９００は、複数のエントリ９０２を有してもよい。各エントリ９０２は、ノード２２の段２００に対応する。エントリ９０２毎に、テーブル９００は１又は複数の値９０４を格納してもよい。幾つかの実施形態では、値９０４は、ノード２２内の各段２００の現在のゴースト・チャネル数である。ゴースト・チャネル数は、特定の段から現在発信されているゴースト・チャネルの数である。現在のゴースト・チャネル数９０４内のデータは、ノード２２内のゴースト・チャネル負荷を効率的に平衡させるために用いられてもよい。この情報は、ノード２２内の段２００に渡るゴースト・チャネルの分配を可能にし、また、ノード２２及びネットワーク・システム１０の動作効率を向上させうる。幾つかの実施形態では、テーブル９００は、段２００のＷＳＳ２０４を処理するソフトウェア・コードにより格納及び管理されてもよい。幾つかの実施形態では、テーブル９００は、包括的なノード管理システムにより管理され、ソフトウェア、ハードウェア若しくはファームウェア又はそれらの組合せで実施されてもよい。テーブル９００内の、段２００の現在のゴースト・チャネル負荷に関する情報は、偏波ホールバーニングの影響を軽減するために用いられるゴースト・チャネルを良好に管理するために、テーブル６００内のチャネル入力情報と結合されてもよい。
【００８５】
図１０は、本開示の特定の実施形態による、偏波ホールバーニングの影響を軽減するときの、ゴースト・チャネルの選択を管理する方法１０００の一実施形態を説明するフローチャートである。方法１０００は、光通信チャネルの有効性及び光パワーを収集する段階、そのデータをノード２２内の全ての段２００へ送信する段階、受信したデータを統合する段階、及び現在のゴースト・チャネル負荷に関するデータを収集する段階、を有する。
【００８６】
一実施形態によると、望ましくは方法１０００は段階１００２で開始する。本開示の教示は、種々の構成のノード２２及びネットワーク・システム１０で実施されてもよい。従って、方法１０００の好適な開始点及び方法１０００の有する段階１００２−１０１０の順序は、実装の選択に依存してもよい。
【００８７】
段階１００２で、方法は、第１の段２００における光通信チャネルの有効性データ（単なる例として、光通信チャネルのＷＣＳ及びＷＣＦビット）を収集する。幾つかの実施形態では、図６−９を参照して以上に詳細に記載されたように、この段階はチャネル情報モジュールにより実行されてもよい。この情報を収集した後、方法１０００は段階１００４へ進んでよい。
【００８８】
段階１００４で、方法１０００は、各段２００における光通信チャネルの光パワー・データを収集する。幾つかの実施形態では、図６−９を参照して以上に詳細に記載されたように、段階１００４はＯＣＭ２０８により実行されてもよい。この情報を収集した後、方法１０００は段階１００６へ進んでよい。
【００８９】
段階１００６で、方法１０００は、全ての収集された有効性データ及び光パワー・データをノード２２内の他の段２００へ送信してもよい。図６−９を参照して以上に詳細に記載されたように、段階１００６はスイッチ・カード２１４により実行されてもよい。このデータを送信した後、方法１０００は段階１００８へ進んでよい。
【００９０】
段階１００８で、方法１０００は、各段２００で全ての他の段２００から受信したチャネル有効性データ及び光パワー・データを統合し、所与のチャネルのデータの合成画像が形成されるようにする。統合された有効性データ及びパワー・データは、どれだけ最近にデータが読み出されたかを示す鮮度値と結合されてもよい。図６−９を参照して以上に詳細に記載されたように、段階１００８はスイッチ・カード２１４により実行されてもよい。このデータを統合及び収集した後、方法１０００は段階１０１０へ進んでよい。
【００９１】
段階１０１で、方法は、ノード２２内の現在のゴースト・チャネル負荷に関するデータを収集してもよい。図９を参照して以上に詳細に記載されたように、このデータは、ノード２２内のどの段２００がゴースト・チャネルの発信元として現在用いられているかを詳述する情報を有してもよい。このデータを収集した後、方法１０００は、段階１００２に戻り、データ収集周期を再び開始してもよい。幾つかの実施形態では、周期が再び開始する前に、５秒のような時間遅延が存在してもよい。このような時間遅延は、ネットワーク・システム１０の特定の実施に適合させる設計上の決定でありうる。
【００９２】
図１０は方法１０００に関して実行されるべき特定数の段階を開示しているが、方法１０００は、図１０に示されたよりも多い又は少ない段階で実行されてもよい。また、図１０は方法１０００の有する段階の特定の順序を開示しているが、方法１０００の有する段階は、如何なる適切な順序で達成されてもよい。例えば、示された方法１０００の実施形態では、ノード２２の段２００は、チャネル有効性データ及び光パワー・データを２つの別個の段階で収集する。幾つかの実施形態では、これらの段階を分離し、段２００の別個の構成要素にこれらのタスクを実行させることが望ましい。しかしながら、他の実施形態では、これらの段階は、同時に及び／又は段２００の同一の構成要素により実行されてもよい。
【００９３】
本発明の特定の実施形態は、１つ以上の技術的利点を提供しうる。一実施形態の技術的利点は、ゴースト・チャネル選択の効率的な管理が、ネットワーク・システム１０にゴ―スト・チャネルがシステムにかけうる負荷を効率的に平衡させうることである。
【００９４】
ノード２２内のゴースト・チャネル３０２の負荷平衡を管理するのと共に、偏波ホールバーニングの影響を軽減するときに帰還の可能な悪影響を低減又は除去するために、ゴースト・チャネル３０２の適切な発信元を選択することも有利である。
【００９５】
図１１は、本開示の特定の実施形態による、偏波ホールバーニングの影響を軽減するときに用いられる、ゴースト・チャネルを選択する方法１１００の一実施形態を説明するフローチャートである。方法１１００は、各チャネルがトラフィック・チャネルか、ブロックされたチャネルか、現在のゴースト・チャネルか、又は該チャネルの隣接チャネルがアッド又は通過チャネルか、を知るために各チャネルを調べる段階を有する。動作中、方法１１００は、所与のチャネルについて、何れかの隣接チャネルが段２００を離れるとき、該隣接チャネルが信号を有するか否かを決定する。隣接チャネルが信号を有する場合、ネットワーク・システム１０内での不要な帰還を防ぐために、現在のチャネルは、ゴースト・チャネルとしての使用を阻止される必要があってもよい。帰還を低減することが効率的である１つの位置は、トラフィック・チャネルがアッドされる位置である。トラフィック・チャネルがノード２２でアッドされている場合、ゴースト・チャネル３０２は、ノード２２に直ちに導入されなくてもよい。トラフィック・チャネルが通過チャネルである場合、ゴースト・チャネル３０２は、帰還をあまり気にせずに生成されてもよい。
【００９６】
一実施形態によると、望ましくは方法１１００は段階１１０２で開始する。本開示の教示は、種々の構成の通信システム１０で実施されてもよい。従って、方法１１００の好適な開始点及び方法１１００の有する段階１１０１−１１１６の順序は、実装の選択に依存してもよい。幾つかの実施形態では、方法１１００の段階は、各段２００のＷＳＳ２０４を管理するソフトウェアにより実行されてもよい。他の実施形態では、異なる段階が、異なるソフトウェア又は１つのソフトウェア内の異なるソフトウェア・モジュールにより実行されてもよく、各段２００内で当該方法を実行するよう構成されたハードウェア又はファームウェア又はそれらの適切な組合せで実施されてもよい。
【００９７】
第１のチャネルで開始して、段階１１０２で、方法１１００は、第１のチャネルがトラフィック・チャネルか否かを決定する。幾つかの実施形態では、図６−１０を参照して以上に詳細に記載されたように、所与のチャネルがトラフィック・チャネル３０４であるか否かを決定する段階は、該チャネルのＷＣＳ及びＷＣＦビットを検査する段階を有してもよい。チャネルがトラフィック・チャネル３０４である場合、方法１１００は段階１１０８へ進む。段階１１０８で、方法１１００は、段階１１０２に戻る前に、次のチャネルに進む。チャネルがトラフィック・チャネル３０４でない場合、方法１１００は段階１１０４へ進んでもよい。
【００９８】
段階１１０４で、方法１１００は、検討中のチャネルに隣接する何れかのチャネルがアッド・チャネルであるか否かを決定する。幾つかの実施形態では、アッド・チャネルは、本方法を実行する段２００のＷＳＳ２０４でトラフィックが追加されたチャネルである。このような状況では、ゴースト・チャネルの送信は、ネットワーク・システム１０内の不要な帰還をもたらしうる。何れかの隣接チャネルがアッド・チャネルである場合、方法１１００は段階１１０６へ進んでもよい。何れの隣接チャネルもアッド・チャネルでない場合、方法１１００は段階１１１２へ進んでもよい。
【００９９】
段階１１０６で、方法１１００は、検討中のチャネルが現在ブロックされているか否かを決定する。検討中のチャネルがブロックされている場合、方法１１００は段階１１０８へ進んでもよい。段階１１０８で、方法１１００は、段階１１０２に戻る前に、次のチャネルに進む。検討中の現在のチャネルがブロックされていない場合、方法１１００は段階１１１０へ進む。段階１１０８に進む前に、段階１１１０で該チャネルはブロックされる。
【０１００】
段階１１１２で、方法１１００は、何れかの隣接チャネルが通過チャネルか否かを決定してもよい。幾つかの実施形態では、通過チャネルは、トラフィックが段２００で受信され、該段２００のＷＳＳ２０４を通過するチャネルである。通過チャネルの場合、検討中のチャネルからのゴースト・チャネルの送信は、ネットワーク・システム１０内の不要な帰還の危険が高いため、機能しないかもしれない。何れかの隣接チャネルが通過チャネルである場合、方法１１００は段階１１１４へ進んでもよい。何れの隣接チャネルも通過チャネルでない場合、方法１１００は段階１１０６へ進んでもよい。
【０１０１】
段階１１１４で、方法１１００は、現在のチャネルがゴースト・チャネルを発信するために既に用いられているか否かを決定する。既に用いられている場合、方法１１００は段階１１０８へ進んでもよい。段階１１０８で、方法１１００は、段階１１０２に戻る前に、次のチャネルに進む。既に用いられていない場合、方法１１００は段階１１１６へ進んでもよい。段階１１１６で、方法１１００は、現在のチャネルを選択し、ゴースト・チャネルを発信する。選択方法は、特定の実装に依存して単純又は複雑であってもよい。幾つかの実施形態では、図１２を参照して以下に詳細に記載されるように、ゴースト発信元は、適切な有効性及び光パワー基準を有する段の計算されたセットから選択されてもよい。
【０１０２】
図１１は方法１１００に関して実行されるべき特定数の段階を開示しているが、方法１１００は、図１１に示されたよりも多い又は少ない段階で実行されてもよい。また、図１１は方法１１００の有する段階の特定の順序を開示しているが、方法１１００の有する段階は、如何なる適切な順序で達成されてもよい。例えば、示された方法１１００の実施形態では、段２００を出た後にアッド・チャネルを伝達する隣接チャネルを有するチャネルは、ブロックされてもよい。しかしながら、幾つかの構成では、帰還に対する保護はあまり重要ではなく、これらの段階は範囲を縮小されるか又は除去されてもよい。
【０１０３】
図１２は、本開示の特定の実施形態による、偏波ホールバーニングの影響を軽減するために、適切なゴースト・チャネルを選択するノード２２の段２００を選択する方法１２００の一実施形態を説明するフローチャートである。方法１２００は、ネットワーク・システム１０全体で所望のレベルの負荷平衡を維持するために、ノード２２の段２００内のチャネルの有効性及び光パワーを検査することにより、図１１を参照して上述のように特定されたゴースト・チャネル３０２の発信段２００を選択する段階、を有する。
【０１０４】
動作中、方法１２００は、最も高い初期光パワー（例えば、最も高いレベルにおけるＡＳＥ雑音）及び／又は最も低い現在のゴースト・チャネル数を有するゴースト・チャネル３０２を発信できるノード２２の段２００を選択してもよい。
【０１０５】
一実施形態によると、望ましくは方法１２００は段階１２０２で開始する。本開示の教示は、種々の構成の通信システム１０で実施されてもよい。従って、方法１２００の好適な開始点及び方法１２００の有する段階１２０２−１２２０の順序は、実装の選択に依存してもよい。幾つかの実施形態では、方法１２００の段階は、段２００のＷＳＳ２０４を管理するソフトウェアにより実行されてもよい。他の実施形態では、異なる段階が、異なるソフトウェア又は１つのソフトウェア内の異なるソフトウェア・モジュールにより実行されてもよく、段２００内で当該方法を実行するよう構成されたハードウェア又はファームウェア又はそれらの適切な組合せで実施されてもよい。
【０１０６】
段階１２０２で、方法１２００は、所与のチャネルが有効か、新鮮か、及び所定の閾より大きいか又はそれに等しいスプリッタの入力パワーを有するか否かを決定してもよい。チャネルの有効性、新鮮さ及び光パワー情報は、図６−１０を参照して以上に詳細に議論された。所定の閾は、ノード２２の段２００に渡ってゴースト・チャネルの平衡を維持しながら適切なゴースト・チャネルを見付ける可能性を生成するために、ネットワーク・システム１０の特定の実装により決定される如何なる値であってもよい。両方の基準に適合している段２００のセットは、文字「Ｄ」により方法１２００内に示される。各段２００を検査した後、方法は段階１２０４へ進んでよい。
【０１０７】
段１２０４で、方法１２００は、該セット内に段階１２０２の両方の基準を満たす段２００が存在するか否か（例えば、Ｄ＝０か否か）を決定してもよい。十分に有効な、新鮮な、且つ強力なチャネルが段２００にある（Ｄが０に等しくない）場合、方法１２００は、段階１２０６へ進んでもよい。十分に有効な、新鮮な、且つ強力なチャネルが段２００にない場合、方法１２００は段階１２１２へ進んでもよい。
【０１０８】
段階１２０６で、方法１２００は、どの段が現在、現在最小数のゴースト・チャネルを発信しているかを決定する。現在のゴースト・チャネルの負荷情報を集め、回収し及び送信することは、図６−１０を参照して以上に詳細に記載された。図１２では、この段は文字「ｄ」により示される。適切な段１２００を決定した後、方法１２００は段階１２０８へ進んでもよい。段階１２０８で、制御部は、指定されたゴースト・チャネル内で指定された段ｄから切り替えてもよい。次に、方法１２００は段階１２１０へ進んでもよい。段階１２１０で、指定された段のゴースト・チャネル数はインクリメントされる。この時点で、方法１２００は段階１２２０で進んでもよい。段階１２２０で方法１２００は終了する。
【０１０９】
段階１２０４で十分に有効な、新鮮な且つ強力な如何なるチャネルも見付からなかった（例えばＤ＝０）場合、方法１２００は段階１２１２へ進んでもよい。段階１２１２で、方法１２００は、上述の決定を（文字「Ｄ」により示される）十分に有効且つ新鮮なチャネルの数に限ってもよい。有効且つ新鮮なチャネルの数を決定した後、方法１２００は段階１２１４へ進んでもよい。段階１２１４で、制御部は、段階１２１２で有効且つ新鮮なチャネルが見付かったかどうかを決定してもよい。有効且つ新鮮な如何なるチャネルも存在しなかった（Ｄ＝０）場合、方法１２００は段階１２１６へ進んでもよい。段階１２１６で、検査中のチャネルはゴースト発信元としてブロックされる。チャネルをブロックした後、方法１２００は段階１２２０へ進んでもよい。段階１２２０で、方法１２００は終了する。
【０１１０】
段階１２１４で、１又は複数の有効且つ新鮮なチャネルが存在した場合、方法１２００は段階１２１８へ進んでもよい。段階１２１８で、方法１２００は、どの段が最も高いスプリッタの入力パワーを有するチャネルを有しているかを決定してもよい。図中、この段は文字「ｄ」により示される。この決定を行った後、方法１２００は段階１２０８へ進んでもよい。段階１２０８で、方法１２００は、ゴースト・チャネル内で指定された段から切り替えてもよい。上述のように、ゴースト・チャネル内で切り替えた後、次に方法１２００は段階１２１０へ進んでもよい。段階１２１０で、指定された段のゴースト数はインクリメントされ、次に段階１２２０で進む。段階１２２０で方法１２００は終了する。
【０１１１】
図１２は方法１２００に関して実行されるべき特定数の段階を開示しているが、方法１２００は、図１２に示されたよりも多い又は少ない段階で実行されてもよい。また、図１２は方法１２００の有する段階の特定の順序を開示しているが、方法１２００の有する段階は、如何なる適切な順序で達成されてもよい。例えば、示された方法１２００の実施形態では、最大限のゴースト閾より少ないスプリッタ入力を有するチャネル内で切り替えるよう選択が行われてもよい。しかしながら、幾つかの構成では、最大限のゴースト閾より大きい又はそれに等しいスプリッタ入力を有するチャネルのみから、ゴースト・チャネルを発信することが望ましい。
【０１１２】
負荷平衡の効率、ゴースト・チャネルの偏波ホールバーニング方式を維持するために、継続的性能のために該方式を最適化することが必要であり又は望ましい。
【０１１３】
図１３は、本開示の特定の実施形態による、偏波ホールバーニングの影響を軽減するために、ゴースト・チャネルの選択ルーチンを最適化する方法１３００の一実施形態を説明するフローチャートである。方法１３００は、ノード２２の最も効率的な段２００がゴースト・チャネル３０２の現在の発信元であることを保証するために、ゴースト・チャネル選択アルゴリズムを周期的に実行する段階を有する。
【０１１４】
一実施形態によると、望ましくは方法１３００は段階１３０２で開始する。本開示の教示は、種々の構成の通信システム１０で実施されてもよい。従って、方法１３００の好適な開始点及び方法１３００の有する段階１３０２−１３０８の順序は、実装の選択に依存してもよい。幾つかの実施形態では、方法１３００の段階は、段２００のＷＳＳ２０４を管理するソフトウェアにより実行されてもよい。他の実施形態では、異なる段階が、異なるソフトウェア又は１つのソフトウェア内の異なるソフトウェア・モジュールにより実行されてもよく、段２００内で当該方法を実行するよう構成されたハードウェア又はファームウェア又はそれらの適切な組合せで実施されてもよい。
【０１１５】
段階１３０２で、方法１３００は、第１のチャネルに対してゴースト選択ルーチンを実行してもよい。ゴースト選択ルーチンは、ネットワーク・システム１０の構成に依存して単純又は複雑であってもよい。幾つかの実施形態では、図１１−１２を参照して以上に詳細に記載されたように、ゴースト発信元は、適切な有効性及び光パワー基準を有する段の計算されたセットから選択されてもよい。第１のチャネルに対してゴースト選択ルーチンが実行されると、方法１３００は段階１３４０へ進んでもよい。
【０１１６】
段階１３０４で、方法１３００は、ゴースト・チャネルの現在の発信段を決定してもよい。方法１３００は次に段階１３０５へ進んでもよい。段階１３０５で、方法１３００は、選択ルーチンから戻ったゴースト・チャネル発信段が、現在のゴースト・チャネル発信段と異なるか否かを決定してもよい。異ならない場合、方法１３００は段階１３０８へ進んでもよい。段階１３０８で、方法１３００は、段階１３０２に戻ることにより次のゴースト・チャネルに進み方法を繰り返す。ゴースト選択ルーチンが現在使用されているのとは異なる発信元に戻った場合、方法１３００は段階１３０６へ進んでもよい。段階１３０６で、方法１３００は、ゴースト・チャネル発信元を、現在使用されているゴースト・チャネル発信段２００から、段階１３０２でゴースト・チャネル選択ルーチンから戻った段２００に切り替えてもよい。ゴースト・チャネルの発信元を切り替えた後、方法１３００は段階１３０８へ進んでもよい。段階１３０８で、方法１３００は、段階１３０２に戻ることにより次のゴースト・チャネルに進み方法を繰り返す。
【０１１７】
図１３は方法１３００に関して実行されるべき特定数の段階を開示しているが、方法１３００は、図１３に示されたよりも多い又は少ない段階で実行されてもよい。また、図１３は方法１３００の有する段階の特定の順序を開示しているが、方法１３００の有する段階は、如何なる適切な順序で達成されてもよい。例えば、示された方法１３００の実施形態では、ゴースト・チャネル選択ルーチンは、各ゴースト・チャネルに対して実行される。しかしながら、幾つかの構成では、各ゴースト・チャネルに対して連続的にルーチンを実行することが望ましいか又は効率的でないかもしれない。例えば、方法１３００の１回目に１つおきのゴースト・チャネルのみに対してルーチンを実行し、方法１３００の２回目に半分の残りのゴースト・チャネルに対してルーチンを実行することが一層効率的であってもよい。
【０１１８】
本開示は特定の実施形態に関し記載され及び一般的に方法に関連付けられたが、実施例及び方法の変更及び置換は当業者に明らかである。従って、例である実施形態の以上の記載は、本開示を制約しない。他の変更、置換、及び変形はまた、請求項により定められる本開示の精神及び範囲から逸脱することなく可能である。
【０１１９】
以上に記載した実施形態の他に、以下に更に付記を開示する。
（付記１）
光通信システム内で偏波ホールバーニングの影響を軽減するシステムであって、
１又は複数のトラフィック・チャネルを有する光入力信号と、
該トラフィック・チャネルの周りのゴースト・チャネルの存在を調べるよう構成された測定モジュールと、
前記光入力信号の少なくとも１つの増幅された自然放出雑音から、前記トラフィック・チャネルの周りのゴースト・チャネルを生成するよう構成されたゴースト・チャネル生成モジュ―ルと、
を有するシステム。
（付記２）
前記測定モジュールは、前記光通信システム内の波長選択スイッチの一部である、
ことを特徴とする付記１に記載のシステム。
（付記３）
前記ゴースト・チャネル生成モジュールは、前記光通信システム内の波長選択スイッチの一部である、
ことを特徴とする付記１に記載のシステム。
（付記４）
前記ゴースト・チャネル及び前記トラフィック・チャネルのうちの１つの少なくとも１つの信号強度を測定するよう構成された電力モニタと、
前記ゴースト・チャネルの信号強度と前記トラフィック・チャネルの信号強度を比較するよう構成された比較器と、
前記ゴースト・チャネルの信号強度が前記トラフィック・チャネルの信号強度に実質的に等しくない場合、前記ゴースト・チャネルの信号強度を増幅するよう構成された増幅モジュールと、
を更に有する付記１に記載のシステム。
（付記５）
前記ゴースト・チャネル測定モジュールは、前記光通信システム内の波長選択スイッチの一部である、
ことを特徴とする付記４に記載のシステム。
（付記６）
前記比較器は、前記光通信システム内の波長選択スイッチの一部である、
ことを特徴とする付記４に記載のシステム。
（付記７）
前記増幅モジュールは、前記光通信システム内の波長選択スイッチの一部である、
ことを特徴とする付記４に記載のシステム。
（付記８）
前記増幅モジュールは、前記ゴースト・チャネルの信号強度が前記光入力信号の信号強度を超えないように、前記ゴースト・チャネルの信号強度の増幅を制限するよう構成される、
ことを特徴とする付記４に記載のシステム。
（付記９）
光通信システム内で偏波ホールバーニングの影響を軽減する方法であって、
前記光通信システムの第１のノードで、１又は複数のトラフィック・チャネルを有する光入力信号を受信する工程と、
該トラフィック・チャネルの周りのゴースト・チャネルの存在を調べる工程と、
前記光入力信号の少なくとも１つの増幅された自然放出雑音から、前記トラフィック・チャネルの周りのゴースト・チャネルを生成する工程と、
前記光通信システムの第２のノードへ前記トラフィック・チャネル及び前記ゴースト・チャネルを転送する工程と、
を有する方法。
（付記１０）
前記トラフィック・チャネルの少なくとも１つの信号強度を測定する工程と、
前記ゴースト・チャネルの少なくとも１つの信号強度を測定する工程と、
前記ゴースト・チャネルの信号強度が前記トラフィック・チャネルの信号強度に実質的に等しいかどうかを決定する工程と、
前記ゴースト・チャネルの信号強度が前記トラフィック・チャネルの信号強度に実質的に等しくない場合、前記ゴースト・チャネルの信号強度を増幅する工程と、
を更に有する付記９に記載の方法。
（付記１１）
前記トラフィック・チャネルの周りのゴースト・チャネルを生成する工程は、前記光入力信号の各側に１つのゴースト・チャネルを生成する工程を有する、
ことを特徴とする付記９に記載の方法。
（付記１２）
前記ゴースト・チャネルは、前記トラフィック・チャネルの２つのチャネル分離波長の範囲内にある、
ことを特徴とする付記９に記載の方法。
（付記１３）
前記トラフィック・チャネルの隔離のレベルを決定する工程、を更に有する付記９に記載の方法。
（付記１４）
前記トラフィック・チャネルの隔離のレベルを決定する工程は、すぐに隣接するチャネルがトラフィック・チャネルであるか否かを決定する工程を有する、
ことを特徴とする付記１３に記載の方法。
（付記１５）
前記トラフィック・チャネルの隔離のレベルを決定する工程は、１つのみのすぐに隣接するチャネルがトラフィック・チャネルであるか否かを決定する工程を有する、
ことを特徴とする付記１３に記載の方法。
（付記１６）
光通信システム内で偏波ホールバーニングの影響を軽減する方法であって、
前記光通信システムの第１のノードで、１又は複数のトラフィック・チャネルを有する光入力信号を受信する工程と、
前記光通信システムの第２のノードへ前記トラフィック・チャネルを転送する工程と、
ゴースト・チャネル内の少なくとも１つの自然放出雑音を増幅する工程と、
前記光通信システムの第３のノードへ前記トラフィック・チャネル及び前記ゴースト・チャネルを転送する工程と、
前記ゴースト・チャネルの光強度を前記トラフィック・チャネルの光強度と比較する工程と、
前記ゴースト・チャネルの光強度が前記トラフィック・チャネルの光強度と実質的に等しい場合、前記ゴースト・チャネルの増幅の上限を定める工程と、
前記ゴースト・チャネルの光強度が前記トラフィック・チャネルの光強度と実質的に等しくない場合、前記ゴースト・チャネルを増幅する工程と、
を有する方法。
（付記１７）
光通信システム内のゴースト・チャネルの選択を管理する方法であって、
前記光通信システム内のノードの第１の段の光通信チャネルの有効性を示す１又は複数の第１のデータ値を集める工程と、
前記光通信チャネル光パワー・レベルを示す１又は複数の第２のデータ値を集める工程と、
前記ノードの第２の段へ前記第１及び第２のデータ値を送信する工程と、
前記第１の段で、前記第１及び第２のデータ値を受信する工程と、
前記第１の段で、前記第１の段及び前記第２の段の前記第１及び第２のデータ値を統合する工程と、
を有する方法。
（付記１８）
前記第１のデータ値は、前記光通信チャネルのＷＣＳビットを有する、
ことを特徴とする付記１７に記載の方法。
（付記１９）
前記第１のデータ値は、前記光通信チャネルのＷＣＦビットを有する、
ことを特徴とする付記１７に記載の方法。
（付記２０）
前記第１の段の前記第１及び第２のデータ値の鮮度を示す１又は複数の第３のデータ値を集める工程と、
前記第１の段で、前記第１、第２及び第３のデータ値を統合する工程と、
を更に有する付記１７に記載の方法。
（付記２１）
複数の光通信チャネルのそれぞれに対して方法の各工程を実行する工程、
を更に有する付記１７に記載の方法。
（付記２２）
第１のデータ点を集める工程は、前記複数の光通信チャネルのそれぞれがテーブル内に示されるように、該テーブルに該第１のデータ点を格納する工程を有する、
ことを特徴とする付記１９に記載の方法。
（付記２３）
第２のデータ点を集める工程は、前記複数の光通信チャネルのそれぞれがテーブル内に示されるように、該テーブルに該第２のデータ点を格納する工程を有する、
ことを特徴とする付記１９に記載の方法。
（付記２４）
前記第１及び第２の段により現在発信されているゴースト・チャネルの数を示す１又は複数の第４のデータ値を生成する工程と、
前記ノードの前記第２の段へ、前記第４のデータ値を送信する工程と、
前記第２の段で、前記第４のデータ値を受信する工程と、
前記第１の段で、前記第１の段及び前記第２の段の前記第１、第２及び第４のデータ値を統合する工程と、
を更に有する付記１７に記載の方法。
（付記２５）
複数の光通信チャネルのそれぞれに対して方法の各工程を実行する工程、
を更に有する付記２３に記載の方法。
（付記２６）
第１の、第２及び第４のデータ値を統合する工程は、前記複数の光通信チャネルのそれぞれがテーブル内に示されるように、該テーブルに該第１、第２及び第４のデータ値を格納する工程を有する、
ことを特徴とする付記２５に記載の方法。
（付記２７）
光通信システム内のゴースト・チャネルの選択を管理するシステムであって、
前記光通信システム内のノードの第１の段と、
前記光通信システム内の前記ノードの第２の段と、
前記第１の段に通信可能に結合され、該第１の段の光通信チャネルの有効性を示す１又は複数の第１のデータ値を集めるよう構成された第１のチャネル情報モジュールと、
前記第１の段に通信可能に結合され、光通信チャネルの光パワー・レベルを示す１又は複数の第２のデータ値を集めるよう構成された第２のチャネル情報モジュールと、
を有し、
前記第１の段は、
前記ノードの第２の段へ、前記第１及び第２のデータ値を送信し、
前記第２の段から、前記第１及び第２のデータ値を受信し、
前記第１及び第２の段の前記第１及び第２のデータ点を統合する、
よう構成される、
ことを特徴とするシステム。
（付記２８）
前記第１のチャネル情報モジュールは、増幅器カードの一部である、
ことを特徴とする付記２７に記載のシステム。
（付記２９）
前記第２のチャネル情報モジュールは、スイッチ・カードの一部である、
ことを特徴とする付記２７に記載のシステム。
（付記３０）
前記第２のチャネル情報モジュールは、光チャネル・モニタの一部である、
ことを特徴とする付記２７に記載のシステム。
（付記３１）
前記第１の段は、前記第１及び第２の段により現在発信されているゴースト・チャネルの数を示す１又は複数の第３のデータ値を生成するよう構成される、
ことを特徴とする付記２７に記載のシステム。
（付記３２）
光通信システム内でゴースト・チャネルを選択する方法であって、
前記光通信システムのノード内の光通信チャネルを検査する工程と、
前記光通信システムの隣接チャネルを検査する工程と、
前記隣接チャネルをゴースト・チャネルとして使用することが、前記光通信システム内で不要なレベルの帰還の危険性を生じるか否かを決定する工程と、
前記隣接チャネルをゴースト・チャネルとして使用することが、前記光通信システム内で不要なレベルの帰還の危険性を生じない場合、前記隣接チャネルがゴースト・チャネルとして現在使用されているか否かを決定する工程と、
前記隣接チャネルがゴースト・チャネルとして現在使用されていない場合、前記隣接チャネルをゴースト・チャネルとして選択する工程と、
を有する方法。
（付記３３）
前記ノード内の複数の光通信チャネルに対して上述の工程を実行する工程、
を更に有する付記３２に記載の方法。
（付記３４）
前記光通信チャネルがシステム設定情報のみを伝達するよう指定されているか否かを決定する工程、
を更に有する付記３２に記載の方法。
（付記３５）
前記光通信チャネルがシステム設定情報のみを伝達するよう指定されている場合、前記光通信チャネルの前記ゴースト・チャネルとしての使用を認めない工程、
を更に有する付記３２に記載の方法。
（付記３６）
隣接チャネルを検査する工程は、複数の隣接チャネルを検査する工程を有する、
ことを特徴とする付記３２に記載の方法。
（付記３７）
隣接チャネルを検査する工程は、前記光通信システムにより伝達される次に高い波長を伝達するよう指定された光通信チャネルを検査する工程を有する、
ことを特徴とする付記３２に記載の方法。
（付記３８）
隣接チャネルを検査する工程は、前記光通信システムにより伝達される次に低い波長を伝達するよう指定された光通信チャネルを検査する工程を有する、
ことを特徴とする付記３２に記載の方法。
（付記３９）
前記隣接チャネルをゴースト・チャネルとして使用することが、前記光通信システム内で不要なレベルの帰還の危険性を生じるか否かを決定する工程は、
前記隣接チャネルが前記ノードを出ると信号を伝達するか否かを決定するために、前記隣接チャネルを検査する工程と、
前記隣接チャネルが前記ノードを出ると信号を伝達する場合、前記隣接チャネルが現在ブロックされているか否かを決定する工程と、
を有する付記３２に記載の方法。
（付記４０）
前記隣接チャネルが、前記ノードを出ると信号を伝達し、現在ブロックされていない場合、前記隣接チャネルをブロックする工程、
を更に有する付記３２に記載の方法。
（付記４１）
前記隣接チャネルが前記ノードを出ると信号を伝達するか否かを決定するために前記隣接チャネルを検査する工程は、前記隣接チャネルがアッド・チャネルか否かを決定する工程を有する、
ことを特徴とする付記３２に記載の方法。
（付記４２）
前記隣接チャネルが前記ノードを出ると信号を伝達するか否かを決定するために前記隣接チャネルを検査する工程は、前記隣接チャネルが通過チャネルか否かを決定する工程を有する、
ことを特徴とする付記３２に記載の方法。
（付記４３）
光通信システム内でゴースト・チャネルを選択するシステムであって、
前記光通信システムのノードも通信可能に結合された制御部、
を有し、
前記制御部は、
前記ノード内の光通信チャネルを検査し、
前記光通信チャネルの隣接チャネルを検査し、
前記隣接チャネルをゴースト・チャネルとして使用することが、前記光通信システム内で不要なレベルの帰還の危険性を生じるか否かを決定し、
前記隣接チャネルをゴースト・チャネルとして使用することが、不要なレベルの帰還の危険性を生じない場合、前記隣接チャネルがゴースト・チャネルとして現在使用されているか否かを決定し、
前記隣接チャネルがゴースト・チャネルとして現在使用されていない場合、前記隣接チャネルをゴースト・チャネルとして選択する、
よう構成される、
ことを特徴とするシステム。
（付記４４）
前記制御部は、波長選択スイッチの一部である、
ことを特徴とする付記４３に記載のシステム。
（付記４５）
前記制御部は、前記ノード内の複数の光通信チャネルに対して上述の機能を実行するよう構成される、
ことを特徴とする付記４３に記載のシステム。
（付記４６）
前記制御部は、前記光通信チャネルがシステム設定情報のみを伝達するよう指定されているか否かを決定するよう更に構成される、
ことを特徴とする付記４３に記載のシステム。
（付記４７）
前記制御部は、前記光通信チャネルがシステム設定情報のみを伝達するよう指定されている場合、前記光通信チャネルの使用を認めないよう更に構成される、
ことを特徴とする付記４３に記載のシステム。
（付記４８）
隣接チャネルを検査するために、前記制御部は、複数の隣接チャネルを検査するよう更に構成される、
ことを特徴とする付記４３に記載のシステム。
（付記４９）
前記隣接チャネルをゴースト・チャネルとして使用することが、前記光通信システム内で不要なレベルの帰還の危険性を生じるか否かを決定するために、前記制御部は、
前記隣接チャネルが前記ノードを出ると信号を伝達するか否かを決定するために、前記隣接チャネルを検査し、
前記隣接チャネルが前記ノードを出ると信号を伝達する場合、前記隣接チャネルが現在ブロックされているか否かを決定する、
よう更に構成される、
をことを特徴とする付記４３に記載のシステム。
（付記５０）
前記隣接チャネルが、前記ノードを出ると信号を伝達し、現在ブロックされていない場合、前記制御部は、前記隣接チャネルをブロックする、
をことを特徴とする付記４９に記載の方法。
（付記５１）
前記隣接チャネルが前記ノードを出ると信号を伝達するか否かを決定するために前記隣接チャネルを検査するために、前記制御部は、前記隣接チャネルがアッド・チャネルか否かを決定する、
ことを特徴とする付記４９に記載のシステム。
（付記５２）
前記隣接チャネルが前記ノードを出ると信号を伝達するか否かを決定するために前記隣接チャネルを検査するために、前記制御部は、前記隣接チャネルが通過チャネルか否かを決定する、
ことを特徴とする付記４９に記載のシステム。
（付記５３）
光通信システムのノード内でゴースト・チャネルを選択する方法であって、
ゴースト・チャネルとしての使用のために前記ノード内の光通信チャネルを特定する工程と、
前記ノード内の前記光通信チャネルを伝達する第１の段のセットを特定する工程と、
前記第１の段のセット内で、有効なチャネルである前記光通信チャネルを有する段を有する第２の段のセットを特定する工程と、
前記第１の段のセット内で、十分に強力な前記光通信チャネルを有する段を有する第３の段のセットを特定する工程と、
少なくとも前記第２の段のセット及び前記第３の段のセットに基づき、前記第１の段のセットから前記ゴースト・チャネルを発信するために第１の段を選択する工程と、
を有する方法。
（付記５４）
前記ノード内の複数の光通信チャネルのそれぞれに対して上述の工程を実行する工程、
を更に有する付記５３に記載の方法。
（付記５５）
前記第２の段のセットが空の場合、前記ゴースト・チャネルとしての使用のために、前記ノード内の前記光通信チャネルをブロックする工程、
を更に有する付記５３に記載の方法。
（付記５６）
前記第３の段のセットを特定する工程は、前記光通信チャネルが前記第１の段のセット内の全ての他の段の光通信チャネルの光パワーよりも大きいか又はそれに等しい光パワーを有する段のセットを特定する工程を有する、
ことを特徴とする付記５３に記載の方法。
（付記５７）
前記第３の段のセットを特定する工程は、前記光通信チャネルが前記第２の段のセット内の全ての他の段の光通信チャネルの光パワーよりも大きいか又はそれに等しい光パワーを有する段のセットを特定する工程を有する、
ことを特徴とする付記５３に記載の方法。
（付記５８）
前記第３の段のセットを特定する工程は、前記第３の段のセットの中で、所定のゴースト閾レベルより大きい光パワーを有する光通信チャネルを有する段を有する第４の段のセットを特定する工程を有する、
ことを特徴とする付記５３に記載の方法。
（付記５９）
前記第１の段のセット及び前記第２の段のセットから、現在のゴースト数を特定する工程、
を更に有する付記５３に記載の方法。
（付記６０）
前記ゴースト・チャネルを発信する段のゴースト数をインクリメントする工程、
を更に有する付記５９に記載の方法。
（付記６１）
前記ゴースト・チャネルを発信する段を選択する工程は、最も小さい値の前記現在のゴースト数を有する段を選択する工程を有する、
ことを特徴とする付記６０に記載の方法。
（付記６２）
所定の時間の後に、少なくとも前記第２の段のセット及び前記第３の段のセットに基づき、前記第１の段のセットから、前記ゴースト・チャネルを発信する第２の段を選択するために最初の４つの前記工程を繰り返す工程と、
前記第２の段が前記第１の段と異なる場合、前記第２の段から前記ゴースト・チャネルを発信する工程と、
を更に有する付記５３に記載の方法。
（付記６３）
前記所定の時間は、システムの激動を最小化するために指定された周波数である、ことを特徴とする付記６２記載の方法。
（付記６４）
前記システムの激動を最小化するために指定された周波数は、前記光通信システムの制御周期毎に１であるよう定められる、
ことを特徴とする付記６３に記載の方法。
（付記６５）
光通信システムのノード内でゴースト・チャネルを選択するシステムであって、
制御部、
を有し、
前記制御部は、
ゴースト・チャネルとしての使用のために前記ノード内の光通信チャネルを特定し、
前記ノード内の前記光通信チャネルを伝達する第１の段のセットを特定し、
前記第１の段のセット内で、有効なチャネルである前記光通信チャネルを有する段を有する第２の段のセットを特定し、
前記第１の段のセット内で、十分に強力な前記光通信チャネルを有する段を有する第３の段のセットを特定し、
少なくとも前記第２の段のセット及び前記第３の段のセットに基づき、前記第１の段のセットから前記ゴースト・チャネルを発信するために第１の段を選択する、
よう構成される、
ことを特徴とするシステム。
（付記６６）
前記制御部は、波長選択スイッチの一部である、
ことを特徴とする付記６５に記載のシステム。
（付記６７）
前記制御部は、スイッチ・カードの一部である、
ことを特徴とする付記６５に記載のシステム。
（付記６８）
前記制御部は、前記ノード内の複数の光通信チャネルのそれぞれに対して上述の工程を実行する、
ことを特徴とする付記６５に記載のシステム。
（付記６９）
前記制御部は、前記ノード内の複数の光通信チャネルに対して上述の工程を実行する、
ことを特徴とする付記６５に記載のシステム。
（付記７０）
前記制御部は、前記第２の段のセットが空の場合、前記ゴースト・チャネルとしての使用のために、前記ノード内の前記光通信チャネルをブロックする、
ことを特徴とする付記６５に記載のシステム。
（付記７１）
前記制御部は、前記光通信チャネルが前記第１の段のセット内の全ての他の段の光通信チャネルの光パワーよりも大きいか又はそれに等しい光パワーを有する段のセットを特定することにより、前記第３の段のセットを特定する、
ことを特徴とする付記６５に記載のシステム。
（付記７２）
前記制御部は、前記光通信チャネルが前記第２の段のセット内の全ての他の段の光通信チャネルの光パワーよりも大きいか又はそれに等しい光パワーを有する段のセットを特定することにより、前記第３の段のセットを特定する、
ことを特徴とする付記６５に記載のシステム。
（付記７３）
前記制御部は、前記第３の段のセットの中で、所定のゴースト閾レベルより大きい光パワーを有する光通信チャネルを有する段を有する第４の段のセットを特定するよう更に構成される、
ことを特徴とする付記６５に記載のシステム。
（付記７４）
前記制御部は、前記第１の段のセット及び前記第２の段のセットから、現在のゴースト数を特定するよう更に構成される、
ことを特徴とする付記７３に記載のシステム。
（付記７５）
前記制御部は、前記ゴースト・チャネルを発信する段のゴースト数をインクリメントするよう更に構成される、
ことを特徴とする付記７４に記載のシステム。
（付記７６）
前記制御部は、最も小さい値の前記現在のゴースト数を有する段を選択することにより、前記ゴースト・チャネルを発信する段を選択するよう更に構成される、
ことを特徴とする付記７５に記載のシステム。
（付記７７）
前記制御部は、
所定の時間の後に、少なくとも前記第２の段のセット及び前記第３の段のセットに基づき、前記第１の段のセットから、前記ゴースト・チャネルを発信する第２の段を選択するために最初の４つの前記工程を繰り返し、
前記第２の段が前記第１の段と異なる場合、前記第２の段から前記ゴースト・チャネルを発信する、
よう構成される
ことを特徴とする付記６５に記載のシステム。
【符号の説明】
【０１２０】
１０  ネットワーク・システム
２００  段
２０２  スプリッタ
２０４  ＷＳＳ
２０６  増幅器
２０８  ＯＣＭ
２１２  増幅器カード
２１４  スイッチ・カード
２２  ノード
２６  ファイバ
３０２  ゴースト・チャネル
３０４  トラフィック・チャネル
４０  多重化波長
４０２ａ−ｄ  損失図
４０４ａ−ｄ  電力スペクトル
【図１】
0005866775.tif 000007
【図２】
0005866775.tif 000008
【図３】
0005866775.tif 000009
【図４】
0005866775.tif 000010
【図５】
0005866775.tif 000011
【図６】
0005866775.tif 000012
【図７】
0005866775.tif 000013
【図８】
0005866775.tif 000014
【図９】
0005866775.tif 000015
【図１０】
0005866775.tif 000016
【図１１】
0005866775.tif 000017
【図１２】
0005866775.tif 000018
【図１３】
0005866775.tif 000019